(57)【要約】      （修正有）【課題】戸袋を現場で組み立てる際に、建築物の躯体開口部分と戸袋との間の隙間を容易に無くすことができ、戸袋を躯体開口内に迅速に施工できる組立・分解式戸袋を提供する。【解決手段】組立・分解式戸袋Ａは、互いに連関する２つの構成部材Ｂ等とから構成され、一方の構成部材ＢをビスＤで他方の構成部材に結合させることによって袋状に組み立てる。この組み立てが可能となるように、一方の構成部材Ｂには、他方の構成部材に結合させるためのビスＤの軸部を差し込み得る溝が形成されている。この溝は、躯体Ｅの開口ｅ内に戸袋Ａをぴったり嵌め込むに当って、躯体Ｅの開口ｅ部分と戸袋Ａとの間の隙間Ｘを容易に無くすことができるように、当該構成部材Ｂと他方の構成部材とを相対的にスライドさせ得る方向に形成されている。【選択図】図５
0003181520.tif 000002
【実用新案登録請求の範囲】
【請求項１】
戸袋を構成する部材であって、互いに連関する２つの構成部材のうちの一方の構成部材に、他方の構成部材に結合させるためのビスの軸部を差し込み得る溝が、当該構成部材と他方の構成部材とを相対的にスライドさせ得る方向に形成されていることを特徴とする組立・分解式戸袋。
【請求項２】
当該構成部材と他方の構成部材とを相対的にスライドさせ得る方向が左右方向の場合には、溝が左右ないし斜め左右方向に形成されていることを特徴とする請求項１記載の組立・分解式戸袋。
【請求項３】
当該構成部材と他方の構成部材とを相対的にスライドさせ得る方向が上下方向の場合には、溝が上下ないし斜め上下方向に形成されていることを特徴とする請求項１記載の組立・分解式戸袋。
【考案の詳細な説明】
【技術分野】
【０００１】
本考案は、組立・分解可能な戸袋に関するものである。
【背景技術】
【０００２】
従来、戸袋は大工が現場で組み立てていたが、近年、スチールその他の材料からなり予め工場その他において組み上げられたものを現場に運んで設置する方式を取ることが多くなって来ている（例えば、特許文献１参照）。
【０００３】
この場合には、組み立てられて大きくなった枠体にさらに各種のパネルを溶接等で固定することになるから、予め組み上がった戸袋は、材質が鉄ないしスチール製であること、戸袋が比較的大きいため、非常に重くなり、取り回しも悪いのみならず、輸送コストもかかるという欠点がある。
【０００４】
この欠点を解消するために、本出願人は組立・分解式の戸袋を先に提案し（特許文献２参照）、さらに、実用化するに至っている。
【０００５】
この戸袋を利用すれば、極めて容易かつ迅速に、しかも極めて正確に、戸袋を組み立てたり、分解することができる。
【先行技術文献】
【特許文献】
【０００６】
【特許文献１】特開平１１−２４７３５８号公報（図６）
【０００７】
【特許文献２】特開２０１１−１２７３４３号公報（図１）
【考案の概要】
【考案が解決しようとする課題】
【０００８】
しかしながら、特許文献２に記載された戸袋を含め従来から存在する戸袋では、躯体開口内に戸袋を嵌め込むためのたて込みスペースに、戸袋がぴったり嵌まり合わない場合があり、現場での施工に手間取っているのが実情である。なぜならば、前記開口寸法が施工現場によってまちまちであり、躯体開口内に戸袋を嵌め込む際前記開口部分と戸袋との間に隙間が生じ、その隙間を補完するために当該隙間に嵌め込むための部材（通常、カイモノと呼ばれている）を、何種類も現場で作製しなければならないからである。
【０００９】
また、スチール製の戸袋を施工する場合においては、躯体を開口する業者と戸袋施工業者とが異なっている場合が多く、施工上の両者の連携が必ずしも上手く行かないので、戸袋施工業者が現場での施工にさらに手間取ることがある。
【００１０】
本考案は、戸袋を現場で組み立てる場合において、戸袋を構成する２つの構成部材を仮固定できるとともに、上記のような場合に前記カイモノと呼ばれる部材を用いなくても、前記たて込みスペースに応じて戸袋を構成する２つの構成部材を相対的にスライドさせることにより、躯体開口部分と戸袋との間の隙間を容易に無くし、戸袋を躯体開口内に迅速に施工できるようにしたものである。
【課題を解決するための手段】
【００１１】
上記目的を達成するため、本考案では、戸袋を構成する部材であって、互いに連関する２つの構成部材のうちの一方の構成部材に、他方の構成部材に結合させるためのビスの軸部を差し込み得る溝が、当該構成部材と他方の構成部材とを相対的にスライドさせ得る方向に形成されたものとする。
【００１２】
このようにすると、戸袋を現場で組み立てる場合において、躯体開口内に戸袋を嵌め込むためのたて込みスペースに、戸袋がぴったり嵌まり合っていなくても、前記溝にビスの軸部を差し込んでおいて、戸袋を構成する前記２つの構成部材を前記溝に沿って相対的にスライドさせることにより、戸袋の全体形状を容易に調整することができる。したがって、躯体開口部分と戸袋との間の隙間を容易に無くすことができ、戸袋を躯体開口内に迅速に施工できる。
【００１３】
一方、前記溝のいずれかの位置にビスの軸部を位置させてビスを仮締めすれば、戸袋の組立途中において戸袋を構成する前記２つの構成部材のうちの一方を他方の構成部材に仮止め・仮固定できる。
【００１４】
当該構成部材と他方の構成部材とを相対的にスライドさせ得る方向が左右方向の場合には、溝が左右ないし斜め左右方向に形成されている。
【００１５】
この場合には、左右ないし斜め方向に形成されている溝にビスの軸部を差し込んでおいて、戸袋を構成する２つの構成部材を当該溝に沿って左右ないし斜め方向に相対的にスライドさせることにより、戸袋の全体形状を左右方向において容易に調整することができる。したがって、躯体開口部分と戸袋との間の左右の隙間を容易に無くすことができ、戸袋を躯体開口内に迅速に施工できる。
【００１６】
一方、左右ないし斜め方向に形成されている溝のいずれかの位置にビスの軸部を位置させてビスを仮締めすれば、戸袋の組立途中において戸袋を構成する前記２つの構成部材のうちの一方を他方の構成部材に仮止め・仮固定できる。
【００１７】
当該構成部材と他方の構成部材とを相対的にスライドさせ得る方向が上下方向の場合には、溝が上下ないし斜め方向に形成されている。
【００１８】
この場合には、上下ないし斜め方向に形成されている溝にビスの軸部を差し込んでおいて、戸袋を構成する２つの構成部材を当該溝に沿って上下ないし斜め方向に相対的にスライドさせることにより、戸袋の全体形状を上下方向において容易に調整することができる。したがって、躯体開口部分と戸袋との間の上下の隙間を容易に無くすことができ、戸袋を躯体開口内に迅速に施工できる。
【００１９】
一方、上下ないし斜め方向に形成されている溝のいずれかの位置にビスの軸部を位置させてビスを仮締めすれば、戸袋の組立途中において戸袋を構成する前記２つの構成部材のうちの一方を他方の構成部材に仮止め・仮固定できる。
【考案の効果】
【００２０】
請求項１記載の考案によれば、溝にビスの軸部を差し込んでおいて、戸袋を構成する２つの構成部材を前記溝に沿って相対的にスライドさせることにより、戸袋の全体形状を容易に調整することができるから、躯体開口部分と戸袋との間の隙間を容易に無くすことができ、戸袋を躯体開口内に迅速に施工できる。
一方、前記溝のいずれかの位置にビスの軸部を位置させてビスを仮締めすれば、戸袋の組立途中において戸袋を構成する前記２つの構成部材のうちの一方を他方の構成部材に仮止め・仮固定できる。
【００２１】
請求項２記載の考案によれば、左右ないし斜め方向に形成されている溝にビスの軸部を差し込んでおいて、戸袋を構成する２つの構成部材を当該溝に沿って左右ないし斜め方向に相対的にスライドさせることにより、戸袋の全体形状を左右方向において容易に調整することができるから、躯体開口部分と戸袋との間の左右の隙間を容易に無くすことができ、戸袋を躯体開口内に迅速に施工できる。
一方、左右ないし斜め方向に形成されている溝のいずれかの位置にビスの軸部を位置させてビスを仮締めすれば、戸袋の組立途中において戸袋を構成する前記２つの構成部材のうちの一方を他方の構成部材に仮止め・仮固定できる。
【００２２】
請求項３記載の考案によれば、上下ないし斜め方向に形成されている溝にビスの軸部を差し込んでおいて、戸袋を構成する２つの構成部材を当該溝に沿って上下ないし斜め方向に相対的にスライドさせることにより、戸袋の全体形状を上下方向において容易に調整することができるから、躯体開口部分と戸袋との間の上下の隙間を容易に無くすことができ、戸袋を躯体開口内に迅速に施工できる。
一方、上下ないし斜め方向に形成されている溝のいずれかの位置にビスの軸部を位置させてビスを仮締めすれば、戸袋の組立途中において戸袋を構成する前記２つの構成部材のうちの一方を他方の構成部材に仮止め・仮固定できる。
【図面の簡単な説明】
【００２３】
【図１】本考案による組立・分解式戸袋の基本原理の一例を示す図で、(a)は平面図、(b)は正面図、(c)は右側面図である。
【図２】図１(a)に示す組立・分解式戸袋の構成部材であるパネル及びレール取付パネルに形成される溝の様々な形態を例示する図である。
【図３】図２とは異なる別の溝の形態を示す図である。
【図４】図２とはさらに異なる別の溝の形態を示す図である。
【図５】躯体の開口内に戸袋を嵌め込むに当って、躯体開口部分と戸袋との間に隙間が形成される場合があることを説明するための概略図で、一部を切断して示す。
【図６】図１に示す組立・分解式戸袋の使用状態の一例を示す拡大縦断面図である。
【図７】図１に示す組立・分解式戸袋の使用状態の一例を示す概略横断面図である。
【考案を実施するための形態】
【００２４】
本考案による組立・分解式戸袋の一例を、図１〜図７に基いて詳細に説明する。
本考案による組立・分解式戸袋Ａは、図１(b)に示すように、互いに連関する２つの構成部材ＢとＣとから構成され、一方の構成部材ＢをビスＤで他方の構成部材Ｃに結合させることによって袋状に組み立てられるものである。
【００２５】
この組み立てが可能となるように、一方の構成部材Ｂには、他方の構成部材Ｃに結合させるためのビスＤの軸部を差し込み得る溝１が形成されている。
この溝１は、躯体Ｅの開口ｅ内に戸袋Ａをぴったり嵌め込むに当って、躯体Ｅの開口ｅ部分と戸袋Ａとの間の隙間Ｘを容易に無くすことができるように、当該構成部材Ｂと他方の構成部材Ｃとを相対的にスライドさせ得る方向に形成されている。その具体例については後述する。
【００２６】
また、他方の構成部材Ｃには、図１(b)の中ほどに表わすように、一方の構成部材ＢをビスＤで他方の構成部材Ｃに結合させるためのねじ孔２が形成されている。
この場合においては、一方の構成部材Ｂに形成されている溝１にビスＤの軸部を差し込んで、他方の構成部材Ｃに形成されているねじ孔２に螺合させるだけで、袋状の戸袋Ａを極めて容易かつ迅速に、しかも、極めて正確に、組み立てることができる。
逆に、ビスＤを緩めるだけで、互いに連関する２つの構成部材Ｂ，Ｃを極めて容易かつ迅速に分解することができる。
【００２７】
図１(b)に基づいて上記戸袋Ａをより具体的に示すと、戸袋Ａの方形状の枠体ａを構成するＬ型アングルからなる縦桟３と、この縦桟３と対向する側に位置するＣ型アングルからなる縦桟４と、両縦桟３，４の上端に渡し架けられる上桟５と、両縦桟３，４の下端に渡し架けられる下桟６と、両縦桟３，４に渡し架けて配置される同一ないし大きさの異なるパネル７，８と、戸袋Ａ内に後述するレールを取り付けるためのレール取付パネル９とからなる場合を挙げることができる。
【００２８】
この場合において、枠体ａが互いに連関する２つの構成部材Ｂ，Ｃのうちの構成部材Ｃに相当し、この枠体ａの縦桟３，４に渡し架けられる上桟５、下桟６と、両縦桟３，４に取り付けられるパネル７，８、及びレール取付パネル９が互いに連関する２つの構成部材Ｂ，Ｃのうちの構成部材Ｂに相当する。
そして、上記縦桟３，４に対して上桟５、下桟６とパネル７，８、及びレール取付パネル９をスライドさせ得るように、上桟５、下桟６とパネル７，８、及びレール取付パネル９に前記溝１が形成されている。
【００２９】
この戸袋Ａは、図５に示す躯体Ｅの開口ｅ内であって、例えば、図６及び図７に示すように、隣接する部屋と部屋との間を仕切る仕切壁Ｆを開口することにより形成された出入口Ｇを開閉するために、例えば、レールＨに沿って滑らせながら出入口Ｇを開閉する形式の引込戸Ｉ用として用いられるものである。そして、この戸袋Ａは前記仕切壁Ｆを構成するボードＪ内に嵌め込まれ、前記レール取付パネル９に取り付けられたレールＨ上をローラＫが回転することにより、この戸袋Ａ内に引込戸Ｉを引き込み、あるいは、この戸袋Ａから引込戸Ｉを引き出すことにより、前記出入口Ｇを開閉することができる。
【００３０】
この戸袋Ａの上桟５はビスＬにより上側の横桟Ｍに、また、この戸袋Ａの下桟６はビスＮにより床パネルＯに固定される。図６において、符号Ｐはガイドピンで、引込戸Ｉの下面においてその幅方向に形成されている溝ｉに差し込まれ、引込戸Ｉの滑動をスムーズに行い得るようにするためのものである。
【００３１】
このように用いる戸袋Ａを図５に示す躯体Ｅの開口ｅ内にぴったり嵌め込むことができない場合において、従来、前記開口ｅ部分と戸袋Ａとの間に生じる隙間Ｘを補完するために当該隙間Ｘに、通常カイモノと呼ばれる部材を嵌め込んでいたが、ここでは、そのような部材を嵌め込まなくても前記隙間Ｘを容易に無くすことができるように、構成部材Ｂである上桟５、下桟６とパネル７，８、及びレール取付パネル９を構成部材Ｃである枠体ａに対してスライドさせ得るように工夫されている。
【００３２】
すなわち、上桟５、下桟６とパネル７，８、及びレール取付パネル９の端部から中に向けて、枠体ａに結合させるためのビスＤの軸部を差し込み得る溝１を、枠体ａに対して上桟５、下桟６とパネル７，８、及びレール取付パネル９をスライドさせ得る方向に形成したものである。枠体ａに対して上桟５、下桟６とパネル７，８、及びレール取付パネル９をスライドさせ得る方向として、例えば、図２(a)に示すように、上桟５、下桟６とパネル７，８、及びレール取付パネル９の左右両側において、上下それぞれの端部から中に向かう垂直方向の溝１ａと、この溝１ａから左右に続く水平方向の溝１ｂとからなる場合が挙げられる。
【００３３】
また、図２(b)に示すように、上桟５、下桟６とパネル７，８、及びレール取付パネル９の左右いずれか一方において、その上下の端部から中に向かう垂直方向の溝１ｃと、他方の上下の端部において、図２(a)における垂直方向の溝１ａとこの溝１ａから左右に続く水平方向の溝１ｂの組み合わせからなる場合が挙げられる。さらに、図２(c)に示すように、上桟５、下桟６とパネル７，８、及びレール取付パネル９の左右両側において、左右それぞれの端部から中に向かう水平方向の溝１ｄの場合が挙げられる。
【００３４】
一方、枠体ａに対して上桟５、下桟６とパネル７，８、及びレール取付パネル９をスライドさせ得る方向として、図２(d)に示すように、上桟５、下桟６とパネル７，８、及びレール取付パネル９の左右両側において、上下それぞれの端部から中に向かう垂直方向の溝１ｅと、この溝１ｅから右側に続く水平方向の溝１ｆとからなる場合や、図２(e)に示すように、パネル７，８、及びレール取付パネル９の左右両側において、左右それぞれの端部から中に向かう水平方向の溝１ｇとこの溝１ｇから上側では上方に、下側では下方に続く垂直方向の溝１ｈとからなる場合が挙げられる。
【００３５】
また、図２(f)に示すように、上桟５、下桟６とパネル７，８、及びレール取付パネル９の左右両側において、上下それぞれの端部から上側では斜め下方に、下側では斜め上方に向かう溝１ｉと、この溝１ｉから左右に続く水平方向の溝１ｊからなる場合や、図２(g)に示すように、上桟５、下桟６とパネル７，８、及びレール取付パネル９の左右両側において、左右それぞれの端部から中に向かう水平方向の溝１ｋと、この溝１ｋから上下に続く垂直方向の溝１ｌからなる場合が挙げられる。
【００３６】
さらに、枠体ａに対して上桟５、下桟６とパネル７，８、及びレール取付パネル９をスライドさせ得る方向として、図３に示すように、上桟５、下桟６とパネル７，８、及びレール取付パネル９の左右両側において、上下それぞれの端部から中に向かう垂直方向の溝１ｍからなり、その奥に皿ビス１０を形成した場合や、図４に示すように、上桟５、下桟６とパネル７，８、及びレール取付パネル９の左右両側において、上下それぞれの端部から中に向かう垂直方向の溝１ｎと、その手前側に位置する壁１ｏを上下及び左右方向にくり抜いて水平方向の溝１ｍを形成した場合などが挙げられる。
【００３７】
上桟５、下桟６とパネル７，８、及びレール取付パネル９に図２(a)〜(g)、図３及び図４に示すような各種の溝が形成されていると、前記各溝のうちの水平方向の溝１ｂ，１ｄ，１ｆ，１ｇ，１ｊ，１ｋないし斜め方向の溝１ｉに点線で示すビスＤの軸部を差し込み、また、垂直方向の溝１ａ，１ｃ，１ｅ，１ｈ，１ｌないし斜め方向の溝１ｉに点線で示すビスＤの軸部を差し込み、前記枠体ａの縦桟３，４に形成したねじ孔２に軽く螺合させると、ビスＤの頭で上桟５、下桟６とパネル７，８、及びレール取付パネル９を枠体ａに仮止めすることができる。
【００３８】
上桟５、下桟６とパネル７，８、及びレール取付パネル９のこの仮止め状態において、枠体ａに対して上桟５、下桟６とパネル７，８、及びレール取付パネル９を水平方向の溝１ｂ，１ｄ，１ｆ，１ｇ，１ｊ，１ｋないし斜め方向の溝１ｉに沿って左右ないし斜め方向にスライドさせることにより、戸袋Ａの全体形状を左右方向において容易に調整することができる。
また、上桟５、下桟６とパネル７，８、及びレール取付パネル９のこの仮止め状態において、枠体ａに対して上桟５、下桟６とパネル７，８、及びレール取付パネル９を垂直方向の溝１ａ，１ｃ，１ｅ，１ｈ，１ｌないし斜め方向の溝１ｉに沿って上下ないし斜め方向にスライドさせることにより、戸袋Ａの全体形状を上下方向において容易に調整することができる。
したがって、従来の通常カイモノと呼ばれる部材を用いなくても、躯体Ｅの開口ｅ部分と戸袋Ａとの間の隙間Ｘを枠体ａから突出させた上桟５、下桟６とパネル７，８、及びレール取付パネル９の端部によって容易に無くすことができるとともに、前記隙間Ｘを容易に補完することができる。
【００３９】
そして、この状態においてビスＤをねじ孔２に強固に螺合させるだけで、戸袋Ａの上桟５、下桟６とパネル７，８、及びレール取付パネル９を枠体ａに極めて容易かつ迅速に、しかも、極めて正確に、組み立てることができ、戸袋Ａを躯体Ｅの開口ｅ内に迅速に施工できる。
逆に、前記ビスＤを緩めるだけで、戸袋Ａの枠体ａから上桟５、下桟６とパネル７，８、及びレール取付パネル９を極めて容易かつ迅速に分解することができる。
【００４０】
前記溝１は、図２(a)〜(g)、図３、図４に示すように、上桟５、下桟６とパネル７，８、及びレール取付パネル９の端部から中に向けて形成されていても良いし、図面には表わさないが各部材の端部より内側において長孔状に形成されていても良い。
【００４１】
なお、組立・分解式のこの戸袋Ａを構成する各構成部材、すなわち、前記縦桟３，４、上桟５、下桟６、パネル７，８、及びレール取付パネル９を全てスチール製とするのが最も好ましい。
このように、本戸袋Ａを全てスチール製とした場合には、木製のものに比べて反りや狂いがないため、引込戸Ｉが本戸袋Ａとこすれるおそれがない。また、木製の場合に比べて戸袋の厚みを薄くできるので、仕切壁Ｆの厚みを薄くすることができる。さらに、木製の戸袋では、強度の面から手すり取付用のブラケットを戸袋に取り付けることができなかったが、スチール製の戸袋の場合には、強度が十分に保たれるので、取り付け可能であるという利点もある。
【産業上の利用可能性】
【００４２】
本発明による戸袋は、上述した形式の引込戸Ｉ用として用いることができるばかりでなく、一筋鴨居と一筋鴨居との間に配置される引込戸用として、あるいは、その他各種形式の引込戸用として用いることができる。
【符号の説明】
【００４３】
１…溝、１ａ〜１ｏ…溝、２…ねじ孔、３，４…縦桟、５…上桟、６…下桟、７，８…パネル、９…レール取付パネル、Ａ…戸袋、ａ…枠体、Ｂ，Ｃ…構成部材、Ｄ…ビス、Ｅ…躯体、ｅ…開口、Ｆ…仕切壁、Ｇ…出入口、Ｉ…引込戸、Ｊ…ボード、Ｍ…横桟、Ｏ…床パネル。
【図１】
0003181520.tif 000003
【図２】
0003181520.tif 000004
【図３】
0003181520.tif 000005
【図４】
0003181520.tif 000006
【図５】
0003181520.tif 000007
【図６】
0003181520.tif 000008
【図７】
0003181520.tif 000009
【手続補正書】
【提出日】平成24年12月5日(2012.12.5)
【手続補正１】
【補正対象書類名】明細書
【補正対象項目名】全文
【補正方法】変更
【補正の内容】
【考案の詳細な説明】
【技術分野】
【０００１】
本考案は、組立・分解可能な戸袋に関するものである。
【背景技術】
【０００２】
従来、戸袋は大工が現場で組み立てていたが、近年、スチールその他の材料からなり予め工場その他において組み上げられたものを現場に運んで設置する方式を取ることが多くなって来ている（例えば、特許文献１参照）。
【０００３】
この場合には、組み立てられて大きくなった枠体にさらに各種のパネルを溶接等で固定することになるから、予め組み上がった戸袋は、材質が鉄ないしスチール製であること、戸袋が比較的大きいため、非常に重くなり、取り回しも悪いのみならず、輸送コストもかかるという欠点がある。
【０００４】
この欠点を解消するために、本出願人は組立・分解式の戸袋を先に提案し（特許文献２参照）、さらに、実用化するに至っている。
【０００５】
この戸袋を利用すれば、極めて容易かつ迅速に、しかも極めて正確に、戸袋を組み立てたり、分解することができる。
【先行技術文献】
【特許文献】
【０００６】
【特許文献１】特開平１１−２４７３５８号公報（図６）
【０００７】
【特許文献２】特開２０１１−１２７３４３号公報（図１）
【考案の概要】
【考案が解決しようとする課題】
【０００８】
しかしながら、特許文献２に記載された戸袋を含め従来から存在する戸袋では、躯体開口内に戸袋を嵌め込むためのたて込みスペースに、戸袋がぴったり嵌まり合わない場合があり、現場での施工に手間取っているのが実情である。なぜならば、前記開口寸法が施工現場によってまちまちであり、躯体開口内に戸袋を嵌め込む際前記開口部分と戸袋との間に隙間が生じ、その隙間を補完するために当該隙間に嵌め込むための部材（通常、カイモノと呼ばれている）を、何種類も現場で作製しなければならないからである。
【０００９】
また、スチール製の戸袋を施工する場合においては、躯体を開口する業者と戸袋施工業者とが異なっている場合が多く、施工上の両者の連携が必ずしも上手く行かないので、戸袋施工業者が現場での施工にさらに手間取ることがある。
【００１０】
本考案は、戸袋を現場で組み立てる場合において、戸袋を構成する２つの構成部材を仮固定できるとともに、上記のような場合に前記カイモノと呼ばれる部材を用いなくても、前記たて込みスペースに応じて戸袋を構成する２つの構成部材を相対的にスライドさせることにより、躯体開口部分と戸袋との間の隙間を容易に無くし、戸袋を躯体開口内に迅速に施工できるようにしたものである。
【課題を解決するための手段】
【００１１】
上記目的を達成するため、本考案では、戸袋を構成する互いに連関する２つの部材であって、方形状の枠体とこの枠体に結合させるべき桟、パネルその他の部材のうち、一方の構成部材である桟、パネルその他の部材に、他方の構成部材である前記枠体に結合させるためのビスの軸部を差し込み得る溝が、枠体とこの枠体に結合させるべき桟、パネルその他の部材とを相対的にスライドさせ得る方向に形成されたものとする。
【００１２】
このようにすると、戸袋を現場で組み立てる場合において、躯体開口内に戸袋を嵌め込むためのたて込みスペースに、戸袋がぴったり嵌まり合っていなくても、前記溝にビスの軸部を差し込んでおいて、戸袋を構成する２つの部材である前記方形状の枠体とこの枠体に結合させるべき桟、パネルその他の部材を前記溝に沿って相対的にスライドさせることにより、戸袋の全体形状を容易に調整することができる。したがって、躯体開口部分と戸袋との間の隙間を容易に無くすことができ、戸袋を躯体開口内に迅速に施工できる。
【００１３】
一方、前記溝のいずれかの位置にビスの軸部を位置させてビスを仮締めすれば、戸袋の組立途中において戸袋を構成する２つの部材のうちの前記方形状の枠体に、この枠体に結合させるべき桟、パネルその他の部材を仮止め・仮固定できる。
【００１４】
枠体とこの枠体に結合させるべき桟、パネルその他の部材とを相対的にスライドさせ得る方向が左右方向の場合には、溝が左右ないし斜め左右方向に形成されている。
【００１５】
この場合には、左右ないし斜め方向に形成されている溝にビスの軸部を差し込んでおいて、戸袋を構成する２つの部材である前記枠体とこの枠体に結合させるべき桟、パネルその他の部材を当該溝に沿って左右ないし斜め方向に相対的にスライドさせることにより、戸袋の全体形状を左右方向において容易に調整することができる。したがって、躯体開口部分と戸袋との間の左右の隙間を容易に無くすことができ、戸袋を躯体開口内に迅速に施工できる。
【００１６】
一方、左右ないし斜め方向に形成されている溝のいずれかの位置にビスの軸部を位置させてビスを仮締めすれば、戸袋の組立途中において戸袋を構成する２つの部材のうちの前記枠体に、この枠体に結合させるべき桟、パネルその他の部材を仮止め・仮固定できる。
【００１７】
枠体とこの枠体に結合させるべき桟、パネルその他の部材とを相対的にスライドさせ得る方向が上下方向の場合には、溝が上下ないし斜め方向に形成されている。
【００１８】
この場合には、上下ないし斜め方向に形成されている溝にビスの軸部を差し込んでおいて、戸袋を構成する２つの部材である前記枠体とこの枠体に結合させるべき桟、パネルその他の部材を当該溝に沿って上下ないし斜め方向に相対的にスライドさせることにより、戸袋の全体形状を上下方向において容易に調整することができる。したがって、躯体開口部分と戸袋との間の上下の隙間を容易に無くすことができ、戸袋を躯体開口内に迅速に施工できる。
【００１９】
一方、上下ないし斜め方向に形成されている溝のいずれかの位置にビスの軸部を位置させてビスを仮締めすれば、戸袋の組立途中において戸袋を構成する２つの部材のうちの前記枠体に、この枠体に結合させるべき桟、パネルその他の部材を仮止め・仮固定できる。
【考案の効果】
【００２０】
請求項１記載の考案によれば、溝にビスの軸部を差し込んでおいて、戸袋を構成する２つの部材である前記方形状の枠体とこの枠体に結合させるべき桟、パネルその他の部材を前記溝に沿って相対的にスライドさせることにより、戸袋の全体形状を容易に調整することができるから、躯体開口部分と戸袋との間の隙間を容易に無くすことができ、戸袋を躯体開口内に迅速に施工できる。
一方、前記溝のいずれかの位置にビスの軸部を位置させてビスを仮締めすれば、戸袋の組立途中において戸袋を構成する２つの部材のうちの前記方形状の枠体に、この枠体に結合させるべき桟、パネルその他の部材を仮止め・仮固定できる。
【００２１】
請求項２記載の考案によれば、左右ないし斜め方向に形成されている溝にビスの軸部を差し込んでおいて、戸袋を構成する２つの部材である前記枠体とこの枠体に結合させるべき桟、パネルその他の部材を当該溝に沿って左右ないし斜め方向に相対的にスライドさせることにより、戸袋の全体形状を左右方向において容易に調整することができるから、躯体開口部分と戸袋との間の左右の隙間を容易に無くすことができ、戸袋を躯体開口内に迅速に施工できる。
一方、左右ないし斜め方向に形成されている溝のいずれかの位置にビスの軸部を位置させてビスを仮締めすれば、戸袋の組立途中において戸袋を構成する２つの部材のうちの前記枠体に、この枠体に結合させるべき桟、パネルその他の部材を仮止め・仮固定できる。
【００２２】
請求項３記載の考案によれば、上下ないし斜め方向に形成されている溝にビスの軸部を差し込んでおいて、戸袋を構成する２つの部材である前記枠体とこの枠体に結合させるべき桟、パネルその他の部材を当該溝に沿って上下ないし斜め方向に相対的にスライドさせることにより、戸袋の全体形状を上下方向において容易に調整することができるから、躯体開口部分と戸袋との間の上下の隙間を容易に無くすことができ、戸袋を躯体開口内に迅速に施工できる。
一方、上下ないし斜め方向に形成されている溝のいずれかの位置にビスの軸部を位置させてビスを仮締めすれば、戸袋の組立途中において戸袋を構成する２つの部材のうちの前記枠体に、この枠体に結合させるべき桟、パネルその他の部材を仮止め・仮固定できる。
【図面の簡単な説明】
【００２３】
【図１】本考案による組立・分解式戸袋の基本原理の一例を示す図で、(a)は平面図、(b)は正面図、(c)は右側面図である。
【図２】図１(a)に示す組立・分解式戸袋の構成部材であるパネル及びレール取付パネルに形成される溝の様々な形態を例示する図である。
【図３】図２とは異なる別の溝の形態を示す図である。
【図４】図２とはさらに異なる別の溝の形態を示す図である。
【図５】躯体の開口内に戸袋を嵌め込むに当って、躯体開口部分と戸袋との間に隙間が形成される場合があることを説明するための概略図で、一部を切断して示す。
【図６】図１に示す組立・分解式戸袋の使用状態の一例を示す拡大縦断面図である。
【図７】図１に示す組立・分解式戸袋の使用状態の一例を示す概略横断面図である。
【考案を実施するための形態】
【００２４】
本考案による組立・分解式戸袋の一例を、図１〜図７に基いて詳細に説明する。
本考案による組立・分解式戸袋Ａは、図１(b)に示すように、互いに連関する２つの構成部材ＢとＣとから構成され、一方の構成部材ＢをビスＤで他方の構成部材Ｃに結合させることによって袋状に組み立てられるものである。
【００２５】
この組み立てが可能となるように、一方の構成部材Ｂには、他方の構成部材Ｃに結合させるためのビスＤの軸部を差し込み得る溝１が形成されている。
この溝１は、躯体Ｅの開口ｅ内に戸袋Ａをぴったり嵌め込むに当って、躯体Ｅの開口ｅ部分と戸袋Ａとの間の隙間Ｘを容易に無くすことができるように、当該構成部材Ｂと他方の構成部材Ｃとを相対的にスライドさせ得る方向に形成されている。その具体例については後述する。
【００２６】
また、他方の構成部材Ｃには、図１(b)の中ほどに表わすように、一方の構成部材ＢをビスＤで他方の構成部材Ｃに結合させるためのねじ孔２が形成されている。
この場合においては、一方の構成部材Ｂに形成されている溝１にビスＤの軸部を差し込んで、他方の構成部材Ｃに形成されているねじ孔２に螺合させるだけで、袋状の戸袋Ａを極めて容易かつ迅速に、しかも、極めて正確に、組み立てることができる。
逆に、ビスＤを緩めるだけで、互いに連関する２つの構成部材Ｂ，Ｃを極めて容易かつ迅速に分解することができる。
【００２７】
図１(b)に基づいて上記戸袋Ａをより具体的に示すと、戸袋Ａの方形状の枠体ａを構成するＬ型アングルからなる縦桟３と、この縦桟３と対向する側に位置するＣ型アングルからなる縦桟４と、両縦桟３，４の上端に渡し架けられる上桟５と、両縦桟３，４の下端に渡し架けられる下桟６と、両縦桟３，４に渡し架けて配置される同一ないし大きさの異なるパネル７，８と、戸袋Ａ内に後述するレールを取り付けるためのレール取付パネル９とからなる場合を挙げることができる。
【００２８】
この場合において、枠体ａが互いに連関する２つの構成部材Ｂ，Ｃのうちの構成部材Ｃに相当し、この枠体ａの縦桟３，４に渡し架けられる上桟５、下桟６と、両縦桟３，４に取り付けられるパネル７，８、及びレール取付パネル９が互いに連関する２つの構成部材Ｂ，Ｃのうちの構成部材Ｂに相当する。
そして、上記縦桟３，４に対して上桟５、下桟６とパネル７，８、及びレール取付パネル９をスライドさせ得るように、上桟５、下桟６とパネル７，８、及びレール取付パネル９に前記溝１が形成されている。
【００２９】
この戸袋Ａは、図５に示す躯体Ｅの開口ｅ内であって、例えば、図６及び図７に示すように、隣接する部屋と部屋との間を仕切る仕切壁Ｆを開口することにより形成された出入口Ｇを開閉するために、例えば、レールＨに沿って滑らせながら出入口Ｇを開閉する形式の引込戸Ｉ用として用いられるものである。そして、この戸袋Ａは前記仕切壁Ｆを構成するボードＪ内に嵌め込まれ、前記レール取付パネル９に取り付けられたレールＨ上をローラＫが回転することにより、この戸袋Ａ内に引込戸Ｉを引き込み、あるいは、この戸袋Ａから引込戸Ｉを引き出すことにより、前記出入口Ｇを開閉することができる。
【００３０】
この戸袋Ａの上桟５はビスＬにより上側の横桟Ｍに、また、この戸袋Ａの下桟６はビスＮにより床パネルＯに固定される。図６において、符号Ｐはガイドピンで、引込戸Ｉの下面においてその幅方向に形成されている溝ｉに差し込まれ、引込戸Ｉの滑動をスムーズに行い得るようにするためのものである。
【００３１】
このように用いる戸袋Ａを図５に示す躯体Ｅの開口ｅ内にぴったり嵌め込むことができない場合において、従来、前記開口ｅ部分と戸袋Ａとの間に生じる隙間Ｘを補完するために当該隙間Ｘに、通常カイモノと呼ばれる部材を嵌め込んでいたが、ここでは、そのような部材を嵌め込まなくても前記隙間Ｘを容易に無くすことができるように、構成部材Ｂである上桟５、下桟６とパネル７，８、及びレール取付パネル９を構成部材Ｃである枠体ａに対してスライドさせ得るように工夫されている。
【００３２】
すなわち、上桟５、下桟６とパネル７，８、及びレール取付パネル９の端部から中に向けて、枠体ａに結合させるためのビスＤの軸部を差し込み得る溝１を、枠体ａに対して上桟５、下桟６とパネル７，８、及びレール取付パネル９をスライドさせ得る方向に形成したものである。枠体ａに対して上桟５、下桟６とパネル７，８、及びレール取付パネル９をスライドさせ得る方向として、例えば、図２(a)に示すように、上桟５、下桟６とパネル７，８、及びレール取付パネル９の左右両側において、上下それぞれの端部から中に向かう垂直方向の溝１ａと、この溝１ａから左右に続く水平方向の溝１ｂとからなる場合が挙げられる。
【００３３】
また、図２(b)に示すように、上桟５、下桟６とパネル７，８、及びレール取付パネル９の左右いずれか一方において、その上下の端部から中に向かう垂直方向の溝１ｃと、他方の上下の端部において、図２(a)における垂直方向の溝１ａとこの溝１ａから左右に続く水平方向の溝１ｂの組み合わせからなる場合が挙げられる。さらに、図２(c)に示すように、上桟５、下桟６とパネル７，８、及びレール取付パネル９の左右両側において、左右それぞれの端部から中に向かう水平方向の溝１ｄの場合が挙げられる。
【００３４】
一方、枠体ａに対して上桟５、下桟６とパネル７，８、及びレール取付パネル９をスライドさせ得る方向として、図２(d)に示すように、上桟５、下桟６とパネル７，８、及びレール取付パネル９の左右両側において、上下それぞれの端部から中に向かう垂直方向の溝１ｅと、この溝１ｅから右側に続く水平方向の溝１ｆとからなる場合や、図２(e)に示すように、パネル７，８、及びレール取付パネル９の左右両側において、左右それぞれの端部から中に向かう水平方向の溝１ｇとこの溝１ｇから上側では上方に、下側では下方に続く垂直方向の溝１ｈとからなる場合が挙げられる。
【００３５】
また、図２(f)に示すように、上桟５、下桟６とパネル７，８、及びレール取付パネル９の左右両側において、上下それぞれの端部から上側では斜め下方に、下側では斜め上方に向かう溝１ｉと、この溝１ｉから左右に続く水平方向の溝１ｊからなる場合や、図２(g)に示すように、上桟５、下桟６とパネル７，８、及びレール取付パネル９の左右両側において、左右それぞれの端部から中に向かう水平方向の溝１ｋと、この溝１ｋから上下に続く垂直方向の溝１ｌからなる場合が挙げられる。
【００３６】
さらに、枠体ａに対して上桟５、下桟６とパネル７，８、及びレール取付パネル９をスライドさせ得る方向として、図３に示すように、上桟５、下桟６とパネル７，８、及びレール取付パネル９の左右両側において、上下それぞれの端部から中に向かう垂直方向の溝１ｍからなり、その奥に皿ビス１０を形成した場合や、図４に示すように、上桟５、下桟６とパネル７，８、及びレール取付パネル９の左右両側において、上下それぞれの端部から中に向かう垂直方向の溝１ｎと、その手前側に位置する壁１ｏを上下及び左右方向にくり抜いて水平方向の溝１ｍを形成した場合などが挙げられる。
【００３７】
上桟５、下桟６とパネル７，８、及びレール取付パネル９に図２(a)〜(g)、図３及び図４に示すような各種の溝が形成されていると、前記各溝のうちの水平方向の溝１ｂ，１ｄ，１ｆ，１ｇ，１ｊ，１ｋないし斜め方向の溝１ｉに点線で示すビスＤの軸部を差し込み、また、垂直方向の溝１ａ，１ｃ，１ｅ，１ｈ，１ｌないし斜め方向の溝１ｉに点線で示すビスＤの軸部を差し込み、前記枠体ａの縦桟３，４に形成したねじ孔２に軽く螺合させると、ビスＤの頭で上桟５、下桟６とパネル７，８、及びレール取付パネル９を枠体ａに仮止めすることができる。
【００３８】
上桟５、下桟６とパネル７，８、及びレール取付パネル９のこの仮止め状態において、枠体ａに対して上桟５、下桟６とパネル７，８、及びレール取付パネル９を水平方向の溝１ｂ，１ｄ，１ｆ，１ｇ，１ｊ，１ｋないし斜め方向の溝１ｉに沿って左右ないし斜め方向にスライドさせることにより、戸袋Ａの全体形状を左右方向において容易に調整することができる。
また、上桟５、下桟６とパネル７，８、及びレール取付パネル９のこの仮止め状態において、枠体ａに対して上桟５、下桟６とパネル７，８、及びレール取付パネル９を垂直方向の溝１ａ，１ｃ，１ｅ，１ｈ，１ｌないし斜め方向の溝１ｉに沿って上下ないし斜め方向にスライドさせることにより、戸袋Ａの全体形状を上下方向において容易に調整することができる。
したがって、従来の通常カイモノと呼ばれる部材を用いなくても、躯体Ｅの開口ｅ部分と戸袋Ａとの間の隙間Ｘを枠体ａから突出させた上桟５、下桟６とパネル７，８、及びレール取付パネル９の端部によって容易に無くすことができるとともに、前記隙間Ｘを容易に補完することができる。
【００３９】
そして、この状態においてビスＤをねじ孔２に強固に螺合させるだけで、戸袋Ａの上桟５、下桟６とパネル７，８、及びレール取付パネル９を枠体ａに極めて容易かつ迅速に、しかも、極めて正確に、組み立てることができ、戸袋Ａを躯体Ｅの開口ｅ内に迅速に施工できる。
逆に、前記ビスＤを緩めるだけで、戸袋Ａの枠体ａから上桟５、下桟６とパネル７，８、及びレール取付パネル９を極めて容易かつ迅速に分解することができる。
【００４０】
前記溝１は、図２(a)〜(g)、図３、図４に示すように、上桟５、下桟６とパネル７，８、及びレール取付パネル９の端部から中に向けて形成されていても良いし、図面には表わさないが各部材の端部より内側において長孔状に形成されていても良い。
【００４１】
なお、組立・分解式のこの戸袋Ａを構成する各構成部材、すなわち、前記縦桟３，４、上桟５、下桟６、パネル７，８、及びレール取付パネル９を全てスチール製とするのが最も好ましい。
このように、本戸袋Ａを全てスチール製とした場合には、木製のものに比べて反りや狂いがないため、引込戸Ｉが本戸袋Ａとこすれるおそれがない。また、木製の場合に比べて戸袋の厚みを薄くできるので、仕切壁Ｆの厚みを薄くすることができる。さらに、木製の戸袋では、強度の面から手すり取付用のブラケットを戸袋に取り付けることができなかったが、スチール製の戸袋の場合には、強度が十分に保たれるので、取り付け可能であるという利点もある。
【産業上の利用可能性】
【００４２】
本発明による戸袋は、上述した形式の引込戸Ｉ用として用いることができるばかりでなく、一筋鴨居と一筋鴨居との間に配置される引込戸用として、あるいは、その他各種形式の引込戸用として用いることができる。
【符号の説明】
【００４３】
１…溝、１ａ〜１ｏ…溝、２…ねじ孔、３，４…縦桟、５…上桟、６…下桟、７，８…パネル、９…レール取付パネル、Ａ…戸袋、ａ…枠体、Ｂ，Ｃ…構成部材、Ｄ…ビス、Ｅ…躯体、ｅ…開口、Ｆ…仕切壁、Ｇ…出入口、Ｉ…引込戸、Ｊ…ボード、Ｍ…横桟、Ｏ…床パネル。
【手続補正２】
【補正対象書類名】実用新案登録請求の範囲
【補正対象項目名】全文
【補正方法】変更
【補正の内容】
【実用新案登録請求の範囲】
【請求項１】
戸袋を構成する互いに連関する２つの部材であって、方形状の枠体とこの枠体に結合させるべき桟、パネルその他の部材のうち、一方の構成部材である桟、パネルその他の部材に、他方の構成部材である前記枠体に結合させるためのビスの軸部を差し込み得る溝が、枠体とこの枠体に結合させるべき桟、パネルその他の部材とを相対的にスライドさせ得る方向に形成されていることを特徴とする組立・分解式戸袋。
【請求項２】
枠体とこの枠体に結合させるべき桟、パネルその他の部材とを相対的にスライドさせ得る方向が左右方向の場合には、溝が左右ないし斜め左右方向に形成されていることを特徴とする請求項１記載の組立・分解式戸袋。
【請求項３】
枠体とこの枠体に結合させるべき桟、パネルその他の部材とを相対的にスライドさせ得る方向が上下方向の場合には、溝が上下ないし斜め上下方向に形成されていることを特徴とする請求項１記載の組立・分解式戸袋。